(57)【特許請求の範囲】
【請求項１】
盛土または切土における法面区域に、アスファルト系防草シートに基づいて形成された防草構造体の端部を固定する施工方法であって、
法面区域または法肩区域または法尻区域に、施工されるアスファルト系防草シートの少なくとも一方の端部に沿うように掘削された溝を形成する第１工程と、
アスファルト系防草シートの前記端部を前記溝の内部に配置する第２工程と、
前記溝の上のアスファルト系防草シートの前記端部の上に、少なくとも植物の種子か或いは植生状態の土壌を含む植物の生育が可能な緑化資材を配置する第３工程と、
前記育成する植物の根を前記アスファルト系防草シートの表面層に接するよりも長く成長させることで、前記植物の根を前記防草シートのアスファルト系材料の表面層と一体化させる第４工程
を有する防草構造体の施工方法。
【請求項２】
前記緑化資材を配置する第３工程では、芝の種子を緑化資材と共に配置する
請求項１記載の防草構造体の施工方法。
【請求項３】
前記植物の根を前記アスファルト系材料の表面層と一体化させる第４工程では、１ｍｍ厚以上の厚みの前記アスファルト系材料の層と前記植物の根を一体化させる
請求項１又は２に記載の防草構造体の施工方法。
【請求項４】
前記防草シートの端部を前記溝に配置する第２工程では、少なくとも表面側に前記アスファルト系材料の層として改質アスファルト層を有する防草シートを用いる
請求項１〜３の何れか１項に記載の防草構造体の施工方法。
【請求項５】
前記防草シートの端部を前記溝に配置する第２工程では、最表面に凹凸を形成した表面層を有する防草シートを用いる
請求項１〜４の何れか１項に記載の防草構造体の施工方法。
【請求項６】
前記防草シートの端部を前記溝に配置する第２工程では、前記凹凸を形成した表面層として、無機質粒子又は無機質粒子を含有する合成樹脂を含む表面層を有する防草シートを用いる
請求項１〜３の何れか１項に記載の防草構造体の施工方法。
【請求項７】
前記緑化資材を配置する第３工程では、前記緑化資材に植物の生育を促進するための肥料を含ませる
請求項１〜６の何れか１項に記載の防草構造体の施工方法。
【請求項８】
前記緑化資材を配置する第３工程では、前記緑化資材に土壌形成材料及び種子を含ませる
請求項１〜７の何れか１項に記載の防草構造体の施工方法。
【請求項９】
前記緑化資材を配置する第３工程では、前記緑化資材に形態を保持させるためのネット形状、シート形状又はマット形状を含む平面形状の高分子材料を含ませる
請求項１〜８の何れか１項に記載の防草構造体の施工方法。
【請求項１０】
前記緑化資材を配置する第３工程では、前記緑化資材の高分子材料として生分解性の高分子材料を用いる
請求項９に記載の防草構造体の施工方法。
【請求項１１】
前記防草シートの前記端部、又は、前記端部を前記端部上の緑化資材と共に、釘状器具を打設する工程を有する
請求項１〜１０の何れか１項に記載の防草構造体の施工方法。
【請求項１２】
請求項１〜１１の何れか１項記載の施工方法により形成される、防草構造体。
【発明の詳細な説明】
【技術分野】
【０００１】
本発明は、雑草の成育を防止する必要がある場所に設置する、防草用の防草構造体及びその施工方法に関する。
【背景技術】
【０００２】
道路、線路、河川、公園及び造林園並びにこれらの周辺の地面、表面及び特に法面などでは、美観が損なわれるなどの理由により、雑草などの草の成育を防止する必要があることが多い。特に、道路の路肩及びそれに隣接する法面においては、雑草が繁茂することにより、美観が損なわれるだけでなく、交通の安全が損なわれる可能性がある。そのため、それらの場所では、雑草の成育を防止する必要がある。
【０００３】
草の成育の防止のためには、例えば、特許文献１に開示されているような防草シートが用いられている。
【０００４】
草の成育を防止するための構造体として、例えば、特許文献２には、法面部上端の路肩部に布設されるコンクリートブロック部と、そのコンクリートブロック部の法面側に一端部が一体的に固定された防草シート部とからなり、コンクリートブロック部を路肩部に布設した状態で、防草シート部を法面部上に展開して法面部を被覆可能とした路肩ブロックが開示されている。
【０００５】
また、特許文献３には、シート両面に多数の凸部を交互に形成した遮光性かつ遮水性の合成樹脂製エンボスシート（防草シート）を、除草すべき地面に敷設、固定したことを特徴とする防草構体が開示されている。この特許文献３には、路肩にガードレールがある場合には、ガードレール支柱と、エンボスシート（防草シート）に形成したガードレール支柱の挿通孔との隙間に、コーキング材を詰めることが開示されている。
【０００６】
また、特許文献４には、所定の植生マットを法面に張設する緑化工法が開示されている。
【先行技術文献】
【特許文献】
【０００７】
【特許文献１】特開２００２−２７２３４８号公報
【特許文献２】特開２００５−３０７５１８号公報
【特許文献３】特開２００６−１７７１２２号公報
【特許文献４】特開２００７−３０３１２０号公報
【発明の概要】
【発明が解決しようとする課題】
【０００８】
草の成育を防止ために防草構造体を設置する場合には、防草シートを用いることが一般的である。防草シートを法面などに敷設する場合には、防草シートの端部の固定を確実に行う必要がある。しかしながら、従来の接続方法では、美観を保った状態で、長期間にわたって確実に、防草シートの端部の固定を保つことができず、防草シートの端部が捲れ上がったりするという問題がある。
【０００９】
そこで本発明は、防草が必要な区域全体にわたって雑草の生育を防止し、特に防草シートを法面に敷設する場合にも、法面の凹凸を減らして美観を保った状態で、長期間にわたって確実に、防草シートの端部の固定を保つことができる防草構造体及びその施工方法を提供することを目的とする。
【課題を解決するための手段】
【００１０】
（１）本発明は、盛土または切土における法面区域に、アスファルト系防草シートに基づいて形成された防草構造体の端部を固定する施工方法であって、法面区域または法肩区域または法尻区域に、施工されるアスファルト系防草シートの少なくとも一方の端部に沿うように掘削された溝を形成する第１工程と、アスファルト系防草シートの端部を溝の内部に配置する第２工程と、溝の上のアスファルト系防草シートの端部の上に、少なくとも植物の種子か或いは植生状態の土壌を含む植物の生育が可能な緑化資材を配置する第３工程と、育成する植物の根をアスファルト系防草シートの表面層に接するよりも長く成長させることで、植物の根を防草シートのアスファルト系材料の表面層と一体化させる第４工程を有する防草構造体の施工方法である。
この施工方法により、防草シートの端部を溝に配置し、その上に緑化資材を配置することで、法面に不要な盛り上がりを形成せずに美観を保ち、緑化資材の植物の根により防草シートの端部を固定でき、降雨等による防草シートの端部における土の流出を防止し、端部が露出して風がシート下側に入ったり、端部が捲れることを防止できる。本発明の緑化資材は、少なくとも植物の種子か或いは植生状態の土壌を含む植物の育成が可能なものであって、例えば、植生シート、植生マット等の板状の形態、吹きつけの場合の資材が溜まる形態、さらに既に植生状態の土壌などを挙げることができる。
なお、第１工程の「掘削された溝を形成する」とは、必ずしもＵ字状の断面を持った溝を形成する必要はなく、防草シートの端部を緑化資材を用いて埋め込むように配置するための空間（窪み）が確保できればよい。例えばＶ字状の断面を持った溝、或いは浅い窪み状の断面を持った溝であっても構わない。
【００１１】
（２）また、本発明の施工方法は、緑化資材を配置する第３工程では、芝の種子を緑化資材と共に配置するようにしてもよい。
この施工方法により、種子を芝に特定することで、土が流れず、冬でも根が枯れず、宿根性で、背が低いという法面に適した緑化を実施できる。
【００１２】
（３）また、本発明の施工方法は、植物の根をアスファルト系材料の表面層と一体化させる第４工程では、１ｍｍ厚以上の厚みのアスファルト系材料の層と植物の根を一体化させるようにしてもよい。
この施工方法により、１ｍｍ厚以上、好ましくは１．５ｍｍ厚以上のアスファルト層と植物の根を一体化させることで、両者を強固に一体化させることができ、土の流出を防ぎ、防草シートの端部の露出や捲れを防止できる。
【００１３】
（４）また、本発明の施工方法は、防草シートの端部を溝に配置する第２工程では、少なくとも表面側にアスファルト系材料の層として改質アスファルト層を有する防草シートを用いるようにしてもよい。
この施工方法により、防草シートの表面に改質アスファルト層を形成することで、緑化資材の植物の根が改質アスファルト層の内部に入り込み、固定され一体化される。これにより、緑化資材と防草シートの間の土壌や周辺の土壌も植物の根により固定されるので、防草シートの固定をさらに強固にできる。
【００１４】
（５）また、本発明の施工方法は、防草シートの端部を溝に配置する第２工程では、最表面に凹凸を形成した表面層を有する防草シートを用いるようにしてもよい。
この施工方法により、防草シートの表面に凹凸を設けることで、緑化資材の植物の根が絡み易くなって防草シートの固定が容易になり、且つ、凹凸により接触面積が増加して摩擦も増加し、係合効果も得られるので固定を強固にできる。
【００１５】
（６）また、本発明の施工方法は、防草シートの端部を溝に配置する第２工程では、凹凸を形成した表面層として、無機質粒子又は無機質粒子を含有する合成樹脂を含む表面層を有する防草シートを用いるようにしてもよい。
この施工方法により、防草シートの表面層の凹凸に無機質粒子を用いることで、植物の根が絡みやすく、凹凸量が大きい凹凸を容易に形成することができる。
【００１６】
（７）また、本発明の施工方法は、緑化資材を配置する第３工程では、緑化資材に植物の生育を促進するための肥料を含ませるようにしてもよい。
この施工方法により、緑化資材に肥料を含むことで、植物の生育が促進され、早期に植物の根により防草シートの表面層を固定することができる。施肥の形態としては、緑化資材中に混入させる方法、形態保持用のネット等の一部に肥料帯を設ける方法、形態保持用のネット又はシートの一部に肥料袋を設ける方法、形態保持用のネット又はシート自体が生分解性である場合にそれ自体に肥料成分を含ませる方法が考えられる。
【００１７】
（８）また、本発明の施工方法は、緑化資材を配置する第３工程では、緑化資材に土壌形成材料及び種子を含ませるようにしてもよい。
この施工方法により、緑化資材に、例えば、各種の土、植物繊維、廃材や間伐材のチップ等、植物の形成に好適な土壌形成材料として含ませ、さらに、芝等の根の成長が早く、根により防草シートを固定しやすい植物の種子を含ませることで、防草シートの固定を早期で容易且つ強固にできる。
【００１８】
（９）また、本発明の施工方法は、緑化資材を配置する第３工程では、緑化資材に形態を保持させるためのネット形状、シート形状又はマット形状を含む平面形状の高分子材料を含ませるようにしてもよい。
この施工方法により、シート形状、マット形状、ネット形状等の平面形状の高分子材料（形態保持用）を含ませることで、緑化資材の形態を安定させ、降雨等により資材が流出することを防いで、形態を保持することができる。含まれる資材を高分子材料とすると加工紙や金属ネット等は含まれないので、必要であれば追加する。
【００１９】
（１０）また、本発明の施工方法は、緑化資材を配置する第３工程では、緑化資材の高分子材料として生分解性の高分子材料を用いるようにしてもよい。
この施工方法により、高分子材料を生分解性にすることで、植物が生育して根が防草シートの表面を充分に固定した後は、緑化資材の形態を安定させる必要は無くなるので環境保護に役立ち、高分子材料のあった場所も根で固定することができるので、防草シートをより強固に固定できる
【００２０】
（１１）また、本発明の施工方法は、防草シートの端部、又は、その端部を端部上の緑化資材と共に、釘状器具を打設する工程を有するようにしてもよい。
この施工方法により、防草シートの端部、又は、その端部を緑化資材と共に針状器具で打設することで、端部を強固に固定でき、緑化資材と共に固定する場合には、緑化資材から根が成長して防草シートの端部の表面を固定するまで、防草シートの端部を法面上に固定することができる。
【００２１】
（１２）また、本発明の防草構造体は、上記の何れかの施工方法により形成された防草構造体である。
【発明の効果】
【００２２】
本発明によって、防草が必要な区域全体にわたって草の生育を防止し、特に防草シートを法面に敷設する場合に、法面上の凹凸を減らして美観を保った状態で、長期間にわたって確実に、防草シートの端部の固定を保つことができる防草構造体及びその施工方法を得ることができる。
【００２３】
また、本発明は、防草シートとして耐貫通型防草シートを用いることにより、際立った防草性能と優れた耐久性とを併せ持った防草構造体及びその施工方法を得ることができる。
【図面の簡単な説明】
【００２４】
【図１】本発明の第１実施形態の防草構造体の防草シート端部を、緑化資材を用いて法面に固定する状態を示す図であり、（ａ）は法肩から法面にかけて施工する場合の防草構造体の断面図であり、（ｂ）は（ａ）の正面図である。
【図２】本発明の防草構造体の施工方法における施工中又は施工後の状態を示す図であり、（ａ）は法面に設けた溝に本発明の防草構造体の防草シート端部を配置して釘状器具で固定した状態を示す断面図であり、（ｂ）は（ａ）の溝内の防草シート端部を埋めてその上に緑化資材を配置した状態を示す断面図であり、（ｃ）は（ｂ）の緑化資材の根が成長して法面に固定されると共に溝に配置した本発明の防草構造体の防草シート端部に根が絡んだ状態を示す断面図である。
【図３】本発明の防草構造体の施工方法における施工中又は施工後の状態を示す図であり、（ａ）は法面に設けた溝に本発明の防草構造体の防草シート端部を配置したのみの状態を示す断面図であり、（ｂ）は（ａ）の溝内の防草シート端部を埋めてその上に緑化資材を配置した上から防草シートと緑化資材の双方を釘状器具で固定した状態を示す断面図であり、（ｃ）は（ｂ）の緑化資材の根が成長して法面に固定されると共に溝に配置した本発明の防草構造体の防草シート端部に根が絡んだ状態を示す断面図である。
【図４】（ａ）は本実施形態で用いられる防草構造体の防草シートの構成を示す断面図であり、（ｂ）は図２（ｃ）、図３（ｃ）に示した本発明の防草構造体の防草シート端部に根が絡んだ状態を拡大して示す断面図である。
【図５】本発明の第２実施形態の防草構造体の防草シート端部を、緑化資材を用いて法面に固定する状態を示す図であり、（ａ）は法尻から法面にかけて施工する場合の防草構造体の断面図であり、（ｂ）は（ａ）の正面図である。
【図６】本発明の第３実施形態の防草構造体の防草シート端部を、緑化資材を用いて法面に固定する状態を示す図であり、（ａ）は法面の中腹のみに施工する場合の防草構造体の断面図であり、（ｂ）は（ａ）の正面図である。
【発明を実施するための形態】
【００２５】
＜第１実施形態＞
本発明では、図１（ａ）、（ｂ）、図２（ａ）、（ｂ）及び図３（ａ）、（ｂ）に示したように防草シートの端部の少なくとも一部を溝に埋設し、その上を緑化資材で覆うことにより、防草が必要な区域全体にわたって雑草の生育を防止するのみならず、美観を保った状態で、長期間にわたって確実に、防草シートの端部の固定を保つことができる。さらに、図２（ｃ）及び図３（ｃ）に示したように防草構造体１を施工した後、時間の経過とともに、植生マットの植物の根が法面に根付き、また防草シート表層とも一体化して、法面の土壌の流出を防ぎ、防草シートの端部を法面に固定する効果をより一層高めることができる。
【００２６】
なお、本明細書では、雑草の生育を防止することを「防草」という。防草が必要な区域を「防草区域」という。以下、本発明の防草構造体１及びその施工方法について詳しく説明する。
【００２７】
＜防草構造体＞
本発明の防草構造体の第１実施形態の特徴的な断面模式図を図４（ａ）に示す。図１に示すように、本発明の防草構造体１は、防草シート１０を含む。防草シート１０の端の部分（「端部」という）を、所定の方法で防草区域に固定することにより、防草構造体１を設置することができる。図１は、本発明の防草構造体１を法肩から法面３０の中腹までにかけて設置した場合を例示している。「法面」とは、道路、線路及び遊歩道などの周辺の斜面、切り土及び盛土などによってできた斜面、段差のある２つの地表面の間の斜面及び２つの地表面の間の斜面などを意味する。
【００２８】
本明細書では、防草シート１０の端部のうち、法面における上側（法肩側）又は法肩に固定される端部を、「第一端部」（符号：１２）という。また、本明細書では、防草シート１０の端部のうち、法面における下側（法尻側）又は法尻に固定される端部を「第二端部」（符号：１３）という。また、「端部」とは、防草シート１０の所定の一端付近の領域であり、防草シート１０を所定の方法によって固定するために必要な寸法を有する領域のことをいう。
【００２９】
第一端部１２の固定方法について、第一端部１２を法肩に固定し、第二端部１３を法面に固定する場合を例として、図１、図２、図３及び図４を用いて説明する。なお、図１（ｂ）に示すように、本発明の防草構造体１に用いる防草シート１０の側端部は、加熱融着法又はテープ接着法によって固定することができる。これらの固定方法により、各防草シート１０が結合されて防草構造体１が形成される。
【００３０】
加熱融着法とは、例えば、防草シート１０の端部をバーナー等で加熱することによって、防草シート１０を構成する改質アスファルトを溶融させ、固化することにより、一つの防草シート１０の一方の側端部を隣接する防草シートの他方の側端部に熱融着する固定方法である。
【００３１】
テープ接着法とは、両面に接着性のあるアスファルトテープを、一つの防草シート１０の一方の側端部を隣接する防草シートの他方の側端部との間に挿入し、隣接する防草シートの側端部を融着又は接着して固定を行う方法である。テープ接着法は、加熱融着法とほぼ同等の接着強度を得ることができる。住宅地近傍への設置の場合や、設置箇所近傍に下草等の可燃物が多い場合など、火気の使用が制限されている場合には、一つの防草シート１０の一方の側端部と隣接する防草シートの他方の側端部との固定には、テープ接着法を用いることが好ましい。
【００３２】
防草シート１０の第一端部１２、第二端部１３及び各側端部を固定するには、通常、頭の部分が数字の「７」に似た形状を有するように屈曲した屈曲釘状器具、又は竹製の目串などのアンカーなどの第二の釘状器具１５が用いられる。また、防草シート１０の第一端部１２をＵ字溝等のコンクリート（モルタル）の構造物又は舗装路等に固定する場合には、加熱融着法又はテープ接着法による固定に加え、第一の釘状器具１４を用いて固定することが好ましい。
【００３３】
防草シート１０の第一端部１２の法肩への固定は、具体的には、第二の釘状器具１５の釘部が防草シート１０を貫通して防草区域に打ち込むことにより行われる。このようにして、防草シート１０の第一端部１２を、法肩に固定することができる。防草シート１０の法肩への固定をより確実にするために、第二の釘状器具１５を打ち込む間隔は、例えば、１ｍ以下であることが好ましく、０．７ｍ以下、さらには０．２〜０．５ｍであることが好ましい。また、防草シート１０を構造物又は舗装路等に固定する場合には、第一の釘状器具１４を同様な間隔で打ち込めばよい。
【００３４】
一般に、道路法面や鉄道法面の生育した草を刈り取る作業は、通行を遮断して実施しないケースもあり、作業者が交通事故に巻き込まれるなどの危険を伴う作業である。上述の施工方法を用いた場合には、防草シート１０の第一端部１２を法肩に確実に固定できるので、防草処理後に新たに草が生育することを防止できる効果を非常に高くできる。従って、防草区域が法肩と法面３０を含むような場所へ本発明の防草構造体１を設置すると、防草シート１０を用いた防草処理後に生育した草を刈り取る作業頻度を極端に少なくできるために交通安全の観点からも好ましい。また、本発明の防草構造体１を設置する法面３０が、遊歩道法面である場合にも、メンテメンス頻度を大幅に小さくできるという優れた効果を奏する。
【００３５】
そして、図１（ａ）、図３（ａ）に示すように、本発明の防草構造体１では、防草シート１０が捲れることを防止するために、第二端部１３を固定するために、第二端部１３部分の土壌部分を、第二端部１３部分に沿って掘ることで溝３１を形成し、その溝３１内に第二端部１３を配置する。
【００３６】
その次に、図１、図２（ａ）に示すように、本発明の防草構造体１では、防草シート１０が捲れることを防止するために、第二端部１３を固定する。第二端部１３は、防草シート１０を貫通するようにピン形状や片端に屈曲部を有する棒状である屈曲釘形状等の第二の釘状器具１５を打ち込むことにより固定される。第二の釘状器具１５の屈曲部は、鋭角的屈曲部又はＵ字形屈曲部であることが好ましい。具体的には、第二の釘状器具１５として、Ｌ字型の屈曲釘状器具を用いることができる。Ｌ字型の屈曲釘状器具の寸法の一例として、直径９ｍｍ、長辺の長さ２００ｍｍのものを用いることができる。
【００３７】
次に、図２（ａ）に示すように、溝３１内の防草シート１０の第二端部１３を、防草シート１０を貫通するように第二の釘状器具１５を打ち込んで固定した後、溝３１を土壌の土で平坦に埋め戻して埋め戻し部３２を設け、防草シート１０の第二端部１３上の埋め戻し部３２を覆うように植物の種等を含む緑化資材４０で覆う。本発明の防草構造体１は、防草シート１０の第二端部１３を、溝３１に埋め、その上を緑化資材４０で覆う構造である。本発明の防草構造体１はこの構造により、第二端部１３及び第二の釘状器具１５が緑化資材４０により隠れて防草区域の美観を向上させることができ、防草区域の美観を保った状態で、防草シート１０の端部の固定を長期間にわたって確実に保つことができる。
【００３８】
また、本発明の防草構造体１では、図３（ｂ）に示すように、緑化資材４０が根付くまでの土壌の流出等を防止する効果を高めるために、緑化資材４０の上から防草シート１０の第二端部１３を貫通させるように第二の釘状器具１５で固定してもよい。つまり、第二の釘状器具１５は、第二端部１３を単独で固定するのではなく、緑化資材４０と第二端部１３を共に貫通して、その双方を固定する。その場合、第二の釘状器具１５の頭は露出するが、緑化資材４０を本発明の防草構造体１と同じ第二の釘状器具１５で一回で固定するので、図２（ｂ）の場合と比べて工程が増えるわけではない。この場合、例えば、防草構造体１の施工後に緑化資材４０が根付いて固定が強固になるまでの時間がかかる場合や、法面の角度が比較的急角度である場合等には、緑化資材４０の上から第二の釘状器具１５で固定することができるので、緑化資材４０の下側の土壌の流出を防止でき、緑化資材４０とその下の土壌の盛り上がりも無いことから、防草区域の美観を向上することができ、防草区域の美観を保った状態で、防草シート１０の端部の固定を長期間にわたってより確実に保つことができる。
【００３９】
第二端部１３及び埋め戻し部３２を、緑化資材４０で覆った後、さらに緑化資材４０を上述の第二の釘状器具１５で固定することにより、緑化資材４０及び防草シート１０の固定を確実にすることができる。
【００４０】
本発明の防草構造体１に用いる緑化資材４０は、例えば、植物を植生ネットの上に植生した植生マットであり、具体的な一例としては、芝を植生ネットの上に植生した芝マットなどを好適に用いることができる。
【００４１】
図１〜図４の緑化資材４０の幅は、０．３〜２ｍ程度であり、０．５〜１ｍであることが好ましい。この緑化資材４０を用いて、防草シート１０の第二端部１３上の埋め戻し部３２と、第二端部１３の外側の地面（法面３０）の一部を覆うように、緑化資材４０を敷設する。緑化資材４０の固定には、第二の釘状器具１５（アンカー）等の公知の方法を用いることができる。
【００４２】
また、アンカーとしては、上述の第二の釘状器具１５と同様の釘状器具又は竹製の目串などを用いることができる。具体的には、屈曲釘状器具の屈曲部又は竹製の目串の節部が緑化資材４０に接するように、緑化資材４０の防草シート１０上に敷設した部分及び第二端部１３の外側の地面（法面３０）に敷設した部分の両方に、防草シート１０を貫通して屈曲釘状器具又は竹製の目串などのアンカーを打ち込むことによって、緑化資材４０を固定する。この固定方法によって、防草シート１０の防草区域に対する固定を確実にすることができる。このように緑化資材４０を第二の釘状器具１５で固定する方法の場合、暴風などによって防草シート１０の第二端部１３が捲れることを防止することができる。
【００４３】
緑化資材４０が芝マット等の低草木である場合のその低草木の各葉４２又は各根（地下茎）４４間の空隙部には、目土を充填することが好ましい。目土が緑化資材４０の芝等の植物の葉４２や茎４４の間に入って、葉４２と茎４４とを保護する保護材としての役目を果たすことになるためである。緑化資材４０への目土の充填は、緑化資材４０の敷設の前後のいずれであっても良いが、作業性の点から、緑化資材４０の敷設後に目土を充填することが好ましい。
【００４４】
図４（ｂ）は、図２（ｃ）及び図３（ｃ）における緑化資材４０から出た根４４が防草シート上で固定される状態を示している。根４４は、成長するに従い、無機質粒子又は無機質粒子を含有する合成樹脂からなる表面層５１の隙間を通過し、改質アスファルト層５２に浸入する。後述する改質アスファルト層５２は、その改質アスファルト層５２内に植物の根４４が容易に浸入することが可能である。従って、根４４は、表面層５１の無機質粒子又は無機質粒子を含有する合成樹脂との係合、及び、改質アスファルト層５２内への浸入による一体化により、防草シート１０と強固に結合する。
【００４５】
＜緑化資材＞
本発明における緑化資材とは、少なくとも植物の種子か或いは植生状態の土壌を含む、植物の育成が可能な資材である。緑化資材の形態としては、例えば、種を予め含んだ植生シート、植生マット等の板状の形態であってもよいし、種子と土と肥料等を吹き付ける形態でもよいし、さらに既に植生状態の土壌であってもよい。また、板状の形態には、例えば「貼り芝」等の既に植生状態の土壌を含む。
【００４６】
＜防草シート本体の材料＞
本発明の防草構造体１に含まれる防草シートは、特に限定されるものではなく、市販の防草シートから適宜選択して用いることができるが、特に、可撓性、防水性及び遮光性を有し、シート状の形状を有するものは、良好な耐久性を有することから好適に用いることができる。本発明に用いる防草シート１０の具体例として、優れた可撓性、防水性及び遮光性を有する改質アスファルト系防草シート、例えば、特開２００２−２７２３４８号公報（特許文献１）に開示された改質アスファルト系防草シートを好ましく用いることができる。
【００４７】
「改質アスファルト系防草シート」とは、改質アスファルトを材料として含む防草シートのことをいう。改質アスファルトとしては、具体的には図４（ａ）に示したような後述する耐貫通型防草シートの改質アスファルト層５２及び改質アスファルト層５４に用いることのできる改質アスファルトと同様のものを用いることができる。改質アスファルト系防草シートは、建築用防水シート（改質アスファルト系防水シート）を転用して用いることができる。改質アスファルト系防草シートとしては、単層の改質アスファルトと不織布等からなる基材層を含む構造のシートを用いることができる。
【００４８】
また、改質アスファルト系防草シートは、さらに図４（ａ）に示したような表面層及び裏面層を含むことができる。表面層には、後述する耐貫通型防草シートの表面層５１と同様のものを用いることができる。また、裏面層には、合成樹脂フィルムを好適に用いることができる。合成樹脂フィルムとしては、具体的には、ＨＤＰＥフィルム（高密度ポリエチレン）及びＯＰＰフィルム（二軸延伸成形ポリプロピレン）などから選択したものを好適に用いることができる。また、後述する耐貫通型防草シートの裏面層５５と同様のものを用いることができる。
【００４９】
図４（ａ）に示した改質アスファルト系防草シートの構造の一例は、表面層５１、改質アスファルト層５２、基材層５３、改質アスファルト層５４及び裏面層５５をこの順番で有する構造であるが、これらの層の全てを含む必要はなく、また、さらなる層を含むこともできる。
【００５０】
本発明の防草構造体１に含まれる防草シート本体１０として、改質アスファルト系防草シートの１種である、後述する耐貫通型防草シートを用いることが特に好ましい。
【００５１】
上述した本発明の施工方法によって、優れた防草構造体１の施工を容易に行うことができ、得られた防草構造体１は、長期に渡って良好な防草効果を発揮して、良好な景観形成に寄与できる。
【００５２】
また、本発明の防草構造体１に含まれる防草シート１０として、後述する耐貫通型防草シートを用いることが特に好ましい。
【００５３】
防草シート１０の寸法は、防草区域の寸法やその他の施工条件によって、適宜選択することができる。例えば、図１（ｂ）に示す例においては、複数の防草シート１０が、一つの防草シート１０の一方の側端部である防草シート重ね合わせ融着部１７にて、隣接する防草シート１０の他方の側端部１１と接続された構造となっている。このように、適宜選択した寸法の複数の防草シート１０の防草シート重ね合わせ融着部１７を、加熱融着法又はテープ接着法により張り合わせて用いることにより、本発明の防草構造体１を任意の寸法の防草区域に設置することができる。
【００５４】
本発明の防草構造体１は、道路、線路、河川、公園及び造林園など並びにこれらの周辺の地面、表面及び法面など、どのような場所にも用いることができる。また、本発明の防草構造体１は、舗装面やＵ字孔などの既設構造物に隣接した防草区域に設置することができる。また、本発明の防草構造体１を、特に、法面に設置する場合には、美観の向上等に対する寄与する効果が大きいため、好ましい。このような法面は、道路法面、遊歩道法面及び鉄道法面から選ばれるいずれかの法面であることが好ましい。
【００５５】
＜耐貫通型防草シート＞
次に、本発明の防草構造体１に用いることが特に好ましいに防草シートついて説明する。本明細書及び特許請求の範囲では、ここで説明する防草シートのことを「耐貫通型防草シート」という。耐貫通型防草シートは、硬く鋭い雑草の芽に対する貫通防止性に優れるため、本発明の防草構造体１に用いることが特に好ましい。本発明の防草構造体１の防草シートとして耐貫通型防草シート本体を用いることにより、際立った防草性能と優れた耐久性とを併せ持った防草構造体１及びその施工方法を得ることができる。
【００５６】
＜耐貫通型防草シートの効果＞
耐貫通型防草シートにより、道路、線路、河川、公園及び造林園など並びにこれらの周辺などの地面、表面、特に法面での草の成育を防止ための、遮光性を有し、耐候性、機械的特性、不透水性に優れ、さらに硬く鋭い雑草の芽の防草シートに対する貫通防止性に優れる防草シートを得ることができる。
【００５７】
＜耐貫通型防草シートの態様＞
耐貫通型防草シートは、図４（ａ）に示したように、無機質粒子又は無機質粒子を含有する合成樹脂を含む表面層５１、改質アスファルト層５２、基材層５３、改質アスファルト層５４及び合成樹脂又は無機質粒子を含有する合成樹脂を含む裏面層５５の少なくとも５層をこの順で積層した耐貫通型防草シートである。基材層５３が、織布、編み布及び不織布からなる群より選ばれる少なくとも一つである基材Ａと、スクリムを有する基材Ｂとを含む。基材Ａの織布、編み布及び不織布が、芯部と鞘部とを有する芯鞘構造の繊維を含む。芯部が融点２００℃以上の繊維及び鞘部が融点２００℃以上の樹脂である。裏面層５５の合成樹脂が硬質合成樹脂である耐貫通型防草シートである。
【００５８】
耐貫通型防草シートの好ましい態様を以下に示す。耐貫通型防草シートでは、これらの態様を適宜組み合わせることができる。
（１）裏面層５５の硬質合成樹脂が、ポリプロピレン、ポリエステル、ポリカーボネート、ポリアミドイミド、ポリエステルイミド、ポリアミド、ポリイミド、ポリ塩化ビニル及びポリハロゲン化ポリビニルからなる群より選択される少なくとも一つの合成樹脂である。
（２）裏面層５５が、厚さ１０〜５０μｍの二軸延伸成形ポリプロピレンフィルムである。
（３）基材層５３が、基材Ａと、基材Ｂと、基材Ａとをこの順に積層し、接着された、若しくは熱融着された三層構造を有する。
（４）芯部と鞘部とが、熱融着されている。
（５）基材Ｂが、複数の互いに平行な略等間隔の高強度繊維の繊維束からなる組を２組以上有し、異なった組の繊維束は、略等角度で互いに交差しあうスクリムである。
（６）基材Ａと、基材Ｂとの接触部の少なくとも一部が、融点２００℃以上の樹脂及び／又は２００℃で熱分解しない接着剤により接着されている、若しくは熱融着されている。
（７）基材層５３が、７５〜５００ｇ／ｍ２の目付量を有する。
（８）表面層５１が、天然スレート、タルク及びマイカからなる群より選ばれる少なくとも一種以上の、扁平状の無機質粒子を含む。
【００５９】
＜表面層５１＞
表面層５１は、無機質粒子又は無機質粒子を含有する合成樹脂を含む層である。表面層５１は、無機質粒子又は無機質粒子を含有する合成樹脂からなる層であることが好ましい。表面層５１に用いられる無機質粒子としては、天然スレート砂、マイカ及びタルクなどの鉱物質の扁平状無機質粒子を用いることができる。無機質粒子は、一種類又は複数種を組み合わせて用いることができる。耐貫通型防草シートでは、表面層５１に扁平状の無機質粒子を用いることによって、耐候性塗料の塗着に頼ることなく長期供用においても耐貫通型防草シート全面が剥離することなく、変色や退色も小さく、耐貫通型防草シートの施工直後の状態を維持することができる。
【００６０】
さらに、耐貫通型防草シートは、扁平状の無機質粒子と改質アスファルトコンパウンドとが積層された構造を有していることから、一般的な防草シートと比較し、ポイ捨てされたタバコによる穴あき等の重大な損傷が生じにくいという効果を奏する。
【００６１】
無機質粒子の粒子径は、使用上問題ないものであればどのようなものでもよく、好ましくは０．１〜１０ｍｍ、より好ましくは０．３〜８ｍｍ、さらに好ましくは０．５〜６ｍｍ、特に好ましくは１〜５ｍｍの範囲が好ましい。なお、「粒子径」とは、無機質粒子が扁平状等の場合には、無機質粒子の任意の二点を結ぶ直線のうち、最も長いものの長さのことをいうものとする。
【００６２】
無機質粒子が扁平状等の場合に、無機質粒子の任意の二点を結ぶ直線のうち最も長いものの長さをＸ、この直線に直交する無機質粒子の任意の二点を結ぶ直線のうち最も長いものの長さをＹ、扁平状の無機質粒子の最も厚い部分の厚さをＺとすると、Ｙ／Ｘの値が好ましくは０．２〜１の範囲であり、より好ましくは０．３〜０．９の範囲であり、さらに好ましくは０．５〜０．８の範囲のものを好適に使用できる。また、Ｚ／Ｘの値は好ましくは０．００２〜０．４の範囲であり、より好ましくは０．０１〜０．２の範囲であり、さらに好ましくは０．０２〜０．１の範囲のものを好適に使用できる。
【００６３】
表面層５１において、耐貫通型防草シート表面１ｍ２当たりの無機質粒子量は、好ましくは１００〜２０００ｇ／ｍ２、より好ましくは２００〜１５００ｇ／ｍ２、さらに好ましくは４００〜１２００ｇ／ｍ２の範囲が好ましい。
【００６４】
無機質粒子は、必要に応じて撥水剤、塗料、顔料、増粘剤、耐光剤及び耐候剤などから選択される１種以上を添加、吹付け、塗布又は含浸したものを用いることができる。
【００６５】
表面層５１において、無機質粒子を含有する合成樹脂は、改質アスファルト層５２に例えば貼り合わせ、塗布、吹付け及び含浸などの方法により、塗膜、シート又はフィルムとして用いることができる。無機質粒子を含有する合成樹脂は、無機質粒子及び合成樹脂塗料を含むものを用いることができる。無機質粒子を含有する合成樹脂は、合成樹脂塗料１００重量部に対し、無機質粒子３〜２５０重量部、さらに５〜２００重量部、特に１０〜１８０重量部を配合したものを用いることが好ましい。無機質粒子を含有する合成樹脂は、必要に応じて撥水剤、顔料、増粘剤、耐光剤及び耐候剤などから選択される１種以上を添加することが好ましい。
【００６６】
表面層５１において、合成樹脂に含まれる無機質粒子の量は、耐貫通型防草シート表面１ｍ２当たりの無機質粒子量が、好ましくは１００〜２０００ｇ／ｍ２、より好ましくは２００〜１５００ｇ／ｍ２、さらに好ましくは４００〜１２００ｇ／ｍ２の範囲となることが好ましい。
【００６７】
表面層５１の合成樹脂としては、ポリエチレン、ポリプロピレン、エチレン−酢酸ビニル共重合体、エチレン−アクリル酸誘導体などのポリオレフィン、ポリウレタン、ポリエステル、ポリカーボネート、ポリフェニレンオキシド、ポリスルホン、ポリエーテルスルホン、ポリアミドイミド、ポリエステルイミド、ポリアミド、アクリル樹脂、ポリブタジエン、スチレン−ブタジエン共重合体などの主鎖に２重結合を２以上有するオレフィン重合体、ビニル重合体及び主鎖に２重結合を２以上有するオレフィンと主鎖に２重結合を１つ有するオレフィンとの共重合体などから選択される１種以上を用いることができる。合成樹脂としては耐候性の優れたものを使用することが好ましい。合成樹脂としては耐光性の優れたものを使用することが好ましい。合成樹脂としては柔軟性の優れたものを使用することが好ましい。
【００６８】
表面層５１において、合成樹脂塗料としては、ポリウレタン、アクリル樹脂、エチレン−酢酸ビニル共重合体、ポリエステル、ポリアミド、ポリイミド、ポリブタジエン及びスチレン−ブタジエン共重合体などから選択される１種以上を用いることができる。合成樹脂塗料としては耐候性の優れたものを使用することが好ましい。合成樹脂塗料としては柔軟性の優れたものを使用することが好ましい。特に、合成樹脂塗料としては、アクリル酸メチル、アクリル酸エチル、アクリル酸ブチル、メタクリル酸メチル、メタクリル酸エチル、メタクリル酸ブチルなどのアクリル酸エステル及びメタクリル酸エステルから選択されるモノマーの少なくとも１種の重合体、又はモノマーの少なくとも１種とエチレンなどのα−オレフィンやスチレンなどのほかのビニル系モノマーとの共重合体が好ましい。
【００６９】
＜改質アスファルト層５２及び改質アスファルト層５４の改質アスファルト＞
改質アスファルト層５２及び改質アスファルト層５４の改質アスファルトとしては、アスファルト及びポリマーを含むもの、アスファルト、ポリマー及び無機充填材の３成分を含むものなどを用いることができる。改質アスファルト層５２及び改質アスファルト層５４の改質アスファルトとしては、アスファルト１００重量部に対し、ポリマー１０〜４０重量部、及び無機充填材０〜２０重量部を含むものを用いることが好ましい。
【００７０】
改質アスファルトは、アスファルト及びポリマーを含むもの、アスファルト、ポリマー及び無機充填材の３成分を含むものなどを１２０〜２００℃で３〜３０時間加熱混合して調製したものを用いることが、防水・防湿性、伸縮性などに優れているために好ましい。
【００７１】
改質アスファルトには、以上述べた成分のほかに、プロセスオイル、ワセリン、セレシン、石油樹脂など、一般に合成樹脂やゴムの配合で用いられる撥水剤、顔料、増粘剤、耐光剤、耐候剤などの無機や有機の配合剤を添加してもよい。
【００７２】
改質アスファルト層５２及び改質アスファルト層５４の改質アスファルトとしては、天然アスファルトやアスファルタイトなど天然に産するもの、ストレートアスファルト、ブローンアスファルト、カットバックアスファルト等の石油アスファルト、又はこれらのアスファルトの混合物等が好ましい。
【００７３】
改質アスファルト層５２及び改質アスファルト層５４の改質アスファルトにおいて、ポリマーとしては、天然ゴム、合成ゴム、天然ゴムと合成ゴムとの混合物、ポリエチレン、エチレン酢酸ビニル共重合体、エチレンとアクリル酸誘導体との共重合体、ポリプロピレン、ポリブテン−１、ポリ４−メチルペンテン−１、ポリスチレン、アクリロニトリル・スチレン共重合体、ＡＢＳ樹脂、ポリ塩化ビニル、ポリアクリロニトリル及びスチレンとブタジエンとの重合体（例えば、ＳＢＳなど、ＳＢＲなど）等から選択される１種以上を使用することができる。特にＳＢＳなどのゴム系が好適である。
【００７４】
改質アスファルト層５２及び改質アスファルト層５４の改質アスファルトにおいて、無機充填材としては、炭酸カルシウム、ケイ酸マグネシウム、ケイ酸カルシウム、ケイ酸アルミニウム、無水ケイ酸、クレー、カーボンブラック、タルク、マイカ、硫酸バリウム、珪藻土及びシリカ等の粒子状無機充填材並びに石綿及びガラス繊維などの繊維状無機充填材から選択される１種以上を用いることができる。
【００７５】
改質アスファルト層５２及び改質アスファルト層５４の改質アスファルトは、針入度が、好ましくは１０ｄｍｍ〜２００ｄｍｍの範囲、さらに好ましくは１５ｄｍｍ〜１００ｄｍｍの範囲、より好ましくは２０ｄｍｍ〜５０ｄｍｍの範囲、特に好ましくは２５ｄｍｍ〜３５ｄｍｍの範囲が柔軟性に優れるために好ましい。
【００７６】
耐貫通型防草シートでは、改質アスファルト層５２及び改質アスファルト層５４として、上記組成の改質アスファルトを用いることにより、特に法面に配置した場合には、法面上部に不透水性に優れた層を形成することができる。そのため、雑草の生育に不可欠な水分を遮断できるのみならず、法面が盛土で構築されている場合には、法面上部（法肩）からの雨水の浸透に伴う法面自体の帯水を効果的に防止することにより、集中豪雨などに伴う法面地盤の崩壊を回避することができる。
【００７７】
本発明に用いる防草シートの引裂強度は、好ましくは５０Ｎ以上、より好ましくは７０Ｎ以上、さらに好ましくは９０Ｎ／ｃｍ以上、特に好ましくは１１０Ｎ／ｃｍ以上であることが好ましい。「引裂強度」とは、ＪＩＳ・Ａ６０１３に準拠した測定値である。防草シートが上記範囲の引裂強度を有することにより、防草シートの製造過程では良好な連続生産性が得られ、防草シートの施工過程では優れた取扱性が得られ、施工後の供用においては優れた耐久性を得ることができる。また、防草シートの引裂強度が前記範囲であれば、防草シートの端部を、針状器具を用いて固定した場合にも、固定箇所（応力が集中する箇所）の耐久性を充分に確保することができる。
【００７８】
本発明に用いる防草シートは、表面層５１から裏面層５５までの５層全体の厚みが、好ましくは１ｍｍ〜１０ｍｍの範囲、より好ましくは１．５ｍｍ〜８ｍｍの範囲、さらに好ましくは２ｍｍ〜６ｍｍの範囲、特に好ましくは３ｍｍ〜５ｍｍの範囲であることが、施工時の取り扱い易さや、隣り合う防草シートの熱融着部分の品質を充分に安定して確保できることから好ましい。
【００７９】
本発明に用いる防草シートは、引張強度の縦方向と横方向との比が、好ましくは０．６０〜１．６０の範囲、より好ましくは０．７２〜１．４０の範囲、さらに好ましくは０．７４〜１．３５の範囲、特に好ましくは０．７５〜１．３０の範囲であることが、引張強度や引裂強度などの物性がシートの方向性に依存せず、安定した耐久性が得られることから好ましい。
【００８０】
本発明に用いる防草シートは、引裂強度の縦方向と横方向との比が、好ましくは０．５０〜２．００の範囲、より好ましくは０．８０〜１．２０の範囲、さらに好ましくは０．８３〜１．１８の範囲、特に好ましくは０．８６〜１．１６の範囲であることが、引張強度や引裂強度などの物性がシートの方向性に依存せず、安定した耐久性が得られることから好ましい。
【００８１】
機械的強度の一例として、裏面層５５として厚さ２０μｍの二軸延伸成形ポリプロピレンフィルム及び目付量１５５ｇ／ｍ２の基材層を用い、全体の厚さを３ｍｍとした耐貫通型防草シートの場合には、引張強度１１０〜１９０Ｎ／ｃｍ程度、引張伸び率５０〜７０％程度、引裂強度８５〜１４０Ｎ／ｃｍ程度の値を得ることできる。
【００８２】
以上述べたように、耐貫通型防草シートでは、織布、編み布及び不織布から選ばれる少なくとも一つである基材Ａと、スクリムを有する基材Ｂとを含む基材層を用い、さらに裏面層に特定の樹脂フィルムを選択して用いるため、引裂強度及び引張強度に優れ、寸法安定性が優れる耐貫通型防草シートを得ることができる。また、耐貫通型防草シートを用いれば、道路、線路、河川、公園及び造林園など並びにこれらの周辺などの地面、表面、特に法面での草の成育を防止する遮光性と、非透水性とを有するとともに、集中豪雨などによる法面の帯水を防止でき、特に、硬く鋭い雑草の芽の防草シートに対する貫通防止性に優れる防草構造体１を得ることができる。
【００８３】
従って本実施形態の施工方法は、盛土９における法面３０の区域に、アスファルト系防草シート１０に基づいて形成された防草構造体１の端部１３を固定する施工方法であって、法面３０の区域または法肩区域または法尻区域に、施工されるアスファルト系防草シート１０の少なくとも一方の端部１３に沿うように掘削された溝３１を形成する第１工程と、アスファルト系防草シート１０の端部１３を溝３１の内部に配置する第２工程と、溝３１の上のアスファルト系防草シート１０の端部１３の上に、少なくとも植物の種子か或いは植生状態の土壌を含む植物の生育が可能な緑化資材４０を配置する第３工程と、育成する植物の根４４をアスファルト系防草シート１０の表面層５１に接するよりも長く成長させることで、植物の根４４を防草シート１０のアスファルト系材料の表面層５２と一体化させる第４工程を有する防草構造体の施工方法である。
この施工方法により、防草シート１０の端部１３を溝３１に配置し、その上に緑化資材４０を配置することで、法面３０に不要な盛り上がりを形成せずに、緑化資材４０の植物の根４４により防草シート１０の端部１３を固定でき、降雨等による防草シート１０の端部１３における土の流出を防止し、端部１３が露出して風がシート下側に入ったり、端部１３が捲れることを防止できる。緑化資材４０としては、植生シート、植生マット等の板状の形態と、吹きつけの場合の資材が溜まる形態、既に植生状態の土壌を含む。
【００８４】
また、本実施形態の施工方法は、緑化資材４０を配置する第３工程では、芝の種子を緑化資材４０と共に配置するようにしてもよい。
この施工方法により、種子を芝に特定することで、土が流れず、冬でも根が枯れず、宿根性で、背が低いという法面３０に適した緑化を実施できる。
【００８５】
また、本実施形態の施工方法は、植物の根４４をアスファルト系材料の表面層５２と一体化させる第４工程では、１ｍｍ厚以上の厚みのアスファルト系材料の層５２と植物の根４４を一体化させるようにしてもよい。
この施工方法により、１ｍｍ厚以上のアスファルト層５２と植物の根４４を一体化させることで、両者を強固に一体化させることができ、土の流出を防ぎ、防草シート１０の端部１３の露出や捲れを防止できる。
【００８６】
また、本実施形態の施工方法は、防草シート１０の端部１３を溝３１に配置する第２工程では、少なくとも表面側にアスファルト系材料の層として改質アスファルト層５２を有する防草シート１０を用いるようにしてもよい。
この施工方法により、防草シート１０の表面に改質アスファルト層５２を形成することで、緑化資材４０の植物の根４４が改質アスファルト層５２の内部に入り込み、固定され一体化される。これにより、緑化資材４０と防草シート１０の間の土壌や周辺の土壌も植物の根により固定されるので、防草シート１０の固定をさらに強固にできる。
【００８７】
また、本実施形態の施工方法は、防草シート１０の端部１３を溝３１に配置する第２工程では、最表面に凹凸を形成した表面層５１を有する防草シート１０を用いるようにしてもよい。
この施工方法により、防草シート１０の表面に凹凸を設けることで、緑化資材４０の植物の根４４が絡み易くなって防草シート１０の固定が容易になり、且つ、凹凸により接触面積が増加して摩擦も増加し、係合効果も得られるので固定を強固にできる。
【００８８】
また、本実施形態の施工方法は、防草シート１０の端部１３を溝３１に配置する第２工程では、凹凸を形成した表面層５１として、無機質粒子又は無機質粒子を含有する合成樹脂を含む表面層を有する防草シート１０を用いるようにしてもよい。
この施工方法により、防草シート１０の表面層５１の凹凸に無機質粒子を用いることで、植物の根が絡みやすく、凹凸量が大きい凹凸を容易に形成することができる。
【００８９】
また、本実施形態の施工方法は、緑化資材４０を配置する第３工程では、緑化資材４０に植物の生育を促進するための肥料を含ませるようにしてもよい。
この施工方法により、緑化資材４０に肥料を含むことで、植物の生育が促進され、早期に植物の根４４により防草シート１０の表面層５１を固定することができる。施肥の形態としては、緑化資材中に混入させる方法、形態保持用のネット等の一部に肥料帯を設ける方法、形態保持用のネット又はシートの一部に肥料袋を設ける方法、形態保持用のネット又はシート自体が生分解性である場合にそれ自体に肥料成分を含ませる方法が考えられる。
【００９０】
また、本実施形態の施工方法は、緑化資材４０を配置する第３工程では、緑化資材４０に土壌形成材料及び種子を含ませるようにしてもよい。
この施工方法により、緑化資材４０に、例えば、各種の土、植物繊維、廃材や間伐材のチップ等を、植物の形成に好適な土壌形成材料として含ませ、さらに、芝等の根４４の成長が早く、根４４により防草シート１０を固定しやすい植物の種子を含ませることで、防草シート１０の固定を早期で容易且つ強固にできる。
【００９１】
また、本実施形態の施工方法は、緑化資材４０を配置する第３工程では、緑化資材４０に形態を保持させるためのネット形状、シート形状又はマット形状を含む平面形状の高分子材料を含ませるようにしてもよい。緑化資材４０としては、他に、加工紙や金属ネット等を含ませてもよい。
この施工方法により、緑化資材４０にシート形状、マット形状、ネット形状等の平面形状の高分子材料（形態保持用）を含ませることで、緑化資材４０の形態を安定させ、降雨等により資材が流出することを防いで、形態を保持することができる。
【００９２】
また、本実施形態の施工方法は、緑化資材を配置する第３工程では、緑化資材４０の高分子材料として生分解性の高分子材料を用いるようにしてもよい。
この施工方法により、高分子材料を生分解性にすることで、植物が生育して根４４が防草シート１０の表面を充分に固定した後は、緑化資材４０の形態を安定させる必要は無くなるので環境保護に役立つ。さらに高分子材料のあった場所も根４４で固定することができるので、防草シート１０をより強固に固定できる
【００９３】
また、本実施形態の施工方法は、防草シート１０の端部１３、又は、その端部１３を端部上の緑化資材４０と共に、釘状器具１５を打設する工程を有するようにしてもよい。
この施工方法により、防草シート１０の端部１３、又は、その端部１３を緑化資材４０と共に針状器具１５で打設することで、端部１３を強固に固定でき、緑化資材４０と共に端部１３を固定する場合には、緑化資材４０から根４４が成長して防草シート１０の端部１３の表面を固定するまで、防草シート１０の端部１３を法面３０上に固定することができる。
【００９４】
また、本実施形態の防草構造体は、上記の何れかの施工方法により形成された防草構造体である。
【００９５】
なお、本実施形態の施工方法では、盛土９の法面３０に防草構造体を設ける場合について説明したが、本発明の実施形態はこれに限らず、切土の法面に防草構造体を設ける場合にも適用することができる。
【００９６】
このように本実施形態では、防草が必要な区域全体にわたって草の生育を防止し、特に防草シートを法面に敷設する場合に、法面上の凹凸を減らして美観を保った状態で、長期間にわたって確実に、防草シートの端部の固定を保つことができる防草構造体及びその施工方法を得ることができる。
【００９７】
＜第２実施形態＞
上記した第１実施形態では、法肩から法面中腹にかけて防草構造体１を施工する場合の法面中腹側の防草シート１０の下側端部１３の施工方法について説明したが、第２実施形態では、法尻から法面中腹にかけて防草構造体１を施工する場合の法面中腹側の防草シート１０の上側端部１２の施工方法について説明する。
【００９８】
上記した第１実施形態では法肩側を先に固定し、その後、法面中腹側の防草シート１０の下側端部１３を施工したが、図５に示した第２実施形態の防草構造体１の場合は、法尻側を先に固定し、その後、法面中腹側の防草シート１０の上側端部１２を施工する。
【００９９】
固定方法については、上下の無機が逆になっている点を除けば、第１実施形態と同様であるので、重複する説明を省略する。
【０１００】
このように本実施形態でも、第１実施形態と同様に、防草が必要な区域全体にわたって草の生育を防止し、特に防草シートを法面に敷設する場合に、法面上の凹凸を減らして美観を保った状態で、長期間にわたって確実に、防草シートの端部の固定を保つことができる防草構造体及びその施工方法を得ることができる。
【０１０１】
＜第３実施形態＞
上記した第１実施形態では、法肩から法面中腹にかけて防草構造体１を施工する場合の法面中腹側の防草シート１０の下側端部１３の施工方法について説明し、上記した第２実施形態では、法尻から法面中腹にかけて防草構造体１を施工する場合の法面中腹側の防草シート１０の上側端部１２の施工方法について説明したが、第３実施形態では、法肩側と法尻側には施工せず、法面中腹のみに防草構造体１を施工する場合の防草シート１０の上側端部１２と下側端部１３の施工方法について説明する。
【０１０２】
図６に示した第３実施形態の防草構造体１の場合は、上記した第１実施形態と同様に法肩側を先に固定し、その後、法尻側の防草シート１０の下側端部１３を施工する。
【０１０３】
固定方法については、防草構造体１の上側の端部１２については第２実施形態と同様であり、防草構造体１の下側の端部１３については第１実施形態と同様であるので、重複する説明を省略する。
【０１０４】
このように本実施形態でも、第１実施形態及び第２実施形態と同様に、防草が必要な区域全体にわたって草の生育を防止し、特に防草シートを法面に敷設する場合に、法面上の凹凸を減らして美観を保った状態で、長期間にわたって確実に、防草シートの端部の固定を保つことができる防草構造体及びその施工方法を得ることができる。
【符号の説明】
【０１０５】
１  防草構造体、
９  盛土、
１０  防草シート、
１１  防草シート側端部（重ね代とは反対側の側端部）、
１２  第一端部（法肩側端部）、
１３  第二端部（法尻側端部）、
１４  第一の釘状器具（ナイロンプラグ＋ディスク）、
１５  第二の釘状器具（Ｌ字ピン）、
１７  重ね代（防草シート重ね合わせ融着部）、
３０  法面、
３１  溝、
３２  埋め戻し部、
４０  緑化資材、
４２  葉、
４４  根、
５１  表面層（無機質粒子）、
５２  改質アスファルト層、
５３  基材層、
５４  改質アスファルト層、
５５  裏面層、
６０  パッチシート、
６１  パッチ開口部、
６２  パッチ切断部、
７１  パッチ開口部の開口部側１点７１、
７２  パッチシートの法尻側端部の１点７２。
【図１】
0005387473.tif 000002
【図２】
0005387473.tif 000003
【図３】
0005387473.tif 000004
【図４】
0005387473.tif 000005
【図５】
0005387473.tif 000006
【図６】
0005387473.tif 000007